(57)【要約】【課題】  本発明は、雨水貯留浸透槽、柱状単位部材等に働く浮力の低減を図ることが可能な、雨水貯留槽の浮力対策を提供することを目的とする。【解決手段】  本発明は、柱状単位部材の平板部の中央部に取り付けられる柱状部材の、素材、重量、直径等を最適に調整することにより、浮力の低減を可能とした、雨水貯留槽の浮力対策を提供する。【選択図】  図５
2019138082.tif 000002
【特許請求の範囲】
【請求項１】
本発明は、雨水貯留浸透槽のテーブル状単位部材の平板部の中央部に浮力対策用柱状部材等を設けた、柱状単位部材を構築し、雨水貯留浸透槽、テーブル状単位部材等に働く浮力の低減を図ることを特徴とする、雨水貯留槽の浮力対策。
【請求項２】
請求項１において、平板部に柱状部材を設けた、柱状単位部材を交互に反転して積重ね、重なった柱状部材の重量により浮力に打ち勝つようにし、その重なった柱状部材に柱の役割をそれぞれ分担させることを特徴とする、雨水貯留槽の浮力対策。
【請求項３】
請求項１において、柱状部材は、円柱、角柱、楕円柱、その他の任意な形状も可能であり、少なくとも四個の筒状部の中央部に置かれて、安定に支持されることを特徴とする、雨水貯留槽の浮力対策。
【請求項４】
請求項１において、柱状部材は、コンクリート材、石材、レンガ材、砕石材、砂材等であり、最適な材料が適用されることを特徴とする、雨水貯留槽の浮力対策
【発明の詳細な説明】
【技術分野】
【０００１】
本発明は、雨水貯留浸透槽用柱状単位部材に係り、平板部と筒状部から成るテーブル状
単位部材の平板部中央に柱状部材を設け、その柱状部材の素材、重量、直径等により浮力に打ち勝つようにした、雨水貯留槽の浮力対策に関する。
【背景技術】
【０００２】
近年、雨水貯留浸透槽では、テーブル状単位部材を立体的に配列するのみで、雨水貯留浸透槽を構成し、そこに雨水を貯留する方式が一般に用いられている。
【０００３】
そこで、雨水貯留浸透槽、テーブル状単位部材等は、水により浮力を受け、テーブル状単位部材が個々に受ける浮力の低減を図る必要がある等の欠点があった。
【先行技術文献】
【特許文献】
【０００４】
【特許文献１】特許登録番号：第５４４０８２４号
【発明の概要】
【発明が解決しようとする課題】
【０００５】
本発明は、以上のような従来の欠点に鑑み、テーブル状単位部材と柱状部材を組合せた柱状単位部材を構築し、柱状部材の重量をテーブル状単位部材に付加し、浮力の低減を図る、雨水貯留槽の浮力対策を提供することを目的とする。
【課題を解決するための手段】
【０００６】
上記目的を達成するために、本発明は、平板部に柱状部材を設けた柱状単位部材を、交互に反転して積重ね、浮力の低減を図り、柱とテーブル状単位部材に加わる荷重の一部を柱状部材に分担させる、雨水貯留槽の浮力対策を提供する。
【発明の効果】
【０００７】
以上の説明から明らかなように、本発明にあっては、次に列挙する効果が得られる。
（１）本発明は、テーブル状単位部材において、平板部に応力対策用柱状部材を取り付け、柱状単位部材を構成し、柱状部材の重量により、浮力に打ち勝つことにより、雨水貯留浸透槽、柱状単位部材等に生じる浮力の低減を図ることができる。
【０００８】
(２)前記（１）において、テーブル状単位部材と応力対策用柱状部材から構成される、柱状単位部材は、交互に反転して積重ねて、雨水貯留浸透槽を構成するもので、浮力の低減と共に荷重の分担を可能にする。
【０００９】
(３)前記（１）において、応力対策用柱状部材は、円柱、角柱、楕円柱、その他があるが、円柱又は角柱等は、重量の調整が容易で、浮力の低減に効果が得られる。
【００１０】
(４)前記（１）において、平板部は、柱状部材の位置決めと直立性を確保し、平面の空間を決定し、雨水貯留槽毎に最適な大きさが選択される効果が得られる。
【００１１】
（５）前記（１）において、テーブル状単位部材の筒部の形状は、円錐形等が採用されているが、柱状部材の大きさにより、円柱等への変更が可能である。
【図面の簡単な説明】
【００１２】
【図１】柱状単位部材の側面図である。
【図２】柱状単位部材の平面図である。
【図３】柱状単位部材の六個の重ねの側面図である。
【図４】柱状単位部材の九個の配列の平面図である。
【図５】六個重ねた柱状単位部材と三個の補強継手の側面図である。
【図６】九個の柱状単位部材と四個の柱補強継手の配列の平面図である。
【発明を実施するための形態】
【００１３】
以下、本発明の実施の形態を図に基づいて説明する。
【実施例１】
【００１４】
図１は、本発明の実施例１の、柱状単位部材の側面図である。１は平板部、２は円錐形筒状部、３は浮力対策用柱状部材、４はテーブル状単位部材、５は柱状単位部材である。平板部１は、四個の円錐形筒状部２と一個の浮力対策用柱状部材３を支え、円錐形筒状部２を平板部１の角に接近して配置し、その中央部に浮力対策用柱状部材３を配置している。
円錐形筒状部２は、四個あり、それぞれ平板部１の角に接近して配置されている。浮力対策用柱状部材３は、平板部１に取り付けられ、浮力の大きさにより、コンクリート材等の素材、重量、直径等を調整し、浮力の低減のために対処される。テーブル状単位部材４は、プラスチック材製の平板部１と円錐形筒状部２等から構成され、雨水貯留槽の容積を決定する。柱状単位部材５は、テーブル状単位部材４と浮力対策用柱状部材３から構成され、雨水貯留槽の容積の決定と共に、雨水貯留槽の浮力の低減、荷重の分担に寄与する。
【００１５】
図２は、柱状単位部材の平面図である。平板部１は、正方形等の形をしており、四個の円錐形筒状部２は角に接近して配置されている。浮力対策用柱状部材３は、平板部１の中心部、即ち四個の筒状部２の中心部に配置される。
【００１６】
図３は、柱状単位部材を六個重ねた場合の側面図である。６は一セットの柱状単位部材、７は一セットの柱状単位部材６に適用可能の浮力対策用柱状部材である。柱状単位部材３は、一段毎に、互いに反転され、六段重ねられ、又、一セットの柱状単位部材6は三段重ねられる。一段目の柱状単位部材5,6は土台として働き、浮力対策用柱状部材3,7を位置決めし、雨水貯留浸透槽の一区画を確保する。浮力対策用柱状部材7の高さは柱状部材３の二倍である。
【００１７】
図４は、柱状単位部材を九個配列した場合の平面図である。柱状単位部材5,6を縦横に三個、合計九個配列した場合である。高さ方向は一段から複数段可能である。この柱状単位部材5,6により形成される容積内に雨水を貯留することが可能である。
【００１８】
図５は、六個重ねた柱状単位部材と三個の柱補強継手の側面図である。８は柱補強継手、９は補強用柱である。柱補強継手８と補強用柱９は、柱状単位部材5,6の負担荷重を低減するための補強手段である。雨水貯留浸透槽、柱状単位部材5,6等に働く浮力は浮力対策用柱状部材3,7の素材、重量、直径等を最適条件に調整することにより、対処可能である。
【００１９】
図６は、九個の柱状単位部材と四個の柱補強継手の平面図である。九個の柱状単位部材5,6はそれぞれ間隔を開けて、縦横に三個ずつ配置され、周囲の四個の角部に柱補強継手８と補強用柱９が取り付けられている。雨水貯留施設と柱状単位部材5,6に働く浮力は浮力対策用柱状部材3,7により低減が可能である。
【産業上の利用可能性】
【００２０】
本発明は、雨水貯留浸透槽を製造、施工、管理する産業で利用される。
【符号の説明】
【００２１】
１  平板部
２  円錐形筒状部
３  浮力対策用柱状部材
４  テーブル用単位部材
５  柱状単位部材
６  一セットの柱状単位部材
７  一セットの柱状単位部材に適用可能な浮力対策用柱状部材
８  柱補強継手
９  補強用柱
【図１】
2019138082.tif 000003
【図２】
2019138082.tif 000004
【図３】
2019138082.tif 000005
【図４】
2019138082.tif 000006
【図５】
2019138082.tif 000007
【図６】
2019138082.tif 000008